(57)【要約】【課題】  フィーラ軸の先端面の周縁に発生したバリがつぶれても、動作不良が生じるのを回避できるセンサフィーラを提供する。【解決手段】  回転軸としてのフィーラ軸３１とその外周面３１ｃにそれぞれ突設された接触部材３２及び遮光部材３３とを備えかつ接触部材３２への原稿（検知対象物）２２の接触によりフィーラ軸３１の軸心回りに回転して遮光部材３３による遮光を中断するセンサフィーラ１であって、フィーラ軸３１の先端面３１ｅの周縁に発生するバリ６２のフィーラ軸３１の先端面３１ｅからの突出長さＢがフィーラ軸３１の軸方向に対して直角方向の面取り寸法Ｍよりも小さくなるようにフィーラ軸３１の先端面３１ｅの周縁に面取り部６１を形成したものである。【選択図】      図８
2006164581.tif 000002
【特許請求の範囲】
【請求項１】
回転軸としてのフィーラ軸とその外周面にそれぞれ突設された接触部材及び遮光部材とを備えかつ前記接触部材への検知対象物の接触により前記フィーラ軸の軸心回りに回転して前記遮光部材による遮光を中断するセンサフィーラであって、
前記フィーラ軸の先端面の周縁に発生するバリの前記フィーラ軸の先端面からの突出長さが前記フィーラ軸の軸方向に対して直角方向の面取り寸法よりも小さくなるように前記フィーラ軸の先端面の周縁に面取り部を形成したことを特徴とするセンサフィーラ。
【発明の詳細な説明】
【技術分野】
【０００１】
本発明は、自動原稿搬送装置等により搬送される原稿、給紙カセット等に収容される記録用紙等の検知対象物を検知するためのセンサに回転自在に設けられ、検知対象物との接触により回転するセンサフィーラに関するものである。
【背景技術】
【０００２】
従来のこの種の技術としては、回転軸としてのフィーラ軸とその外周面にそれぞれ突設された接触部材及び遮光部材とを備え、かつ、接触部材への検知対象物の接触によりフィーラ軸の軸心回りに回転して遮光部材による遮光を中断するセンサフィーラが知られている（例えば、特許文献１参照。）。
【特許文献１】特開平１０−１２９８８７号公報（第２−３頁，図１〜図３等）
【発明の開示】
【発明が解決しようとする課題】
【０００３】
上記のような従来のセンサフィーラの多くは合成樹脂の射出成形品であるので、金型の構成によってはフィーラ軸の先端面の周縁にその軸方向に突出するバリが発生することがある。このバリは、自動原稿搬送装置等に設けられた取付孔にフィーラ軸の先端部を挿通する際につぶされることが多い。取付孔への挿通時につぶれたバリはフィーラ軸の先端部と取付孔との間に巻き込まれるので、フィーラ軸の先端部が取付孔と接触して回動する部分にはそのつぶれたバリが存在することになる。この場合、フィーラ軸の先端部と取付孔との隙間が狭くなったり、フィーラ軸の先端部の取付孔に対する接触面に凹凸が生じたりするので、つぶれたバリの存在によりセンサフィーラが回転しにくくなって動作不良を起こすことがあるという問題点がある。
【０００４】
本発明は、以上のような問題点に鑑みてなされたものであり、フィーラ軸の先端面の周縁に発生したバリがつぶれても、動作不良が生じるのを回避できるセンサフィーラを提供することを目的とする。
【課題を解決するための手段】
【０００５】
上記目的を達成するための請求項１の発明は、回転軸としてのフィーラ軸とその外周面にそれぞれ突設された接触部材及び遮光部材とを備えかつ前記接触部材への検知対象物の接触により前記フィーラ軸の軸心回りに回転して前記遮光部材による遮光を中断するセンサフィーラであって、前記フィーラ軸の先端面の周縁に発生するバリの前記フィーラ軸の先端面からの突出長さが前記フィーラ軸の軸方向に対して直角方向の面取り寸法よりも小さくなるように前記フィーラ軸の先端面の周縁に面取り部を形成したものである。
【発明の効果】
【０００６】
請求項１の発明によれば、フィーラ軸の先端面の周縁に発生するバリのフィーラ軸の先端面からの突出長さがフィーラ軸の軸方向に対して直角方向の面取り寸法よりも小さくなるようにフィーラ軸の先端面の周縁に面取り部を形成しているので、フィーラ軸の先端部を取付孔に挿通する際にバリがつぶれても、フィーラ軸の先端部と取付孔との間にバリを巻き込むことがなく、センサフィーラに動作不良が生じるのを回避することができる。
【発明を実施するための最良の形態】
【０００７】
以下、本発明の実施形態を図面に基づいて説明する。
本実施形態に係るセンサフィーラ１は、図１〜図６に示すように、画像形成装置２の自動原稿搬送装置３に内蔵されたリードセンサ４の一部を構成している。画像形成装置２としては、複写機、プリンタ、ファクシミリ、プリント機能・ＦＡＸ通信機能・コピー機能・スキャン機能等の複数の機能を兼ね備えたデジタル複合機等が挙げられる。
【０００８】
自動原稿搬送装置３は、図２及び図３に示すように、オートドキュメントフィーダ（ＡＤＦ）として、原稿トレイ１１上に載置された複数枚の原稿（検知対象物）を自動的かつ連続的に下方の排紙トレイ１２へ略Ｕ字状の搬送路１３を通じてＵターンするように搬送するものである。搬送路１３の途中には２つの読取位置Ｐ１，Ｐ２があり、これら２つの読取位置Ｐ１，Ｐ２で原稿の一面及び他面の各画像が順次読み取られる。上流側の読取位置Ｐ１では、ＣＣＤ（Charge Coupled Device）１４を有するＣＣＤ読取ユニット１５により原稿の一面の画像が読み取られる。下流側の読取位置Ｐ２では、ＣＩＳ（Contact Image Sensor）読取ユニット１６により原稿の他面の画像が読み取られる。ＣＣＤ読取ユニット１５及びＣＩＳ読取ユニット１６により読み取られた各画像情報は、いずれも図示しない画像読取制御部から本体制御部へ送信される。
【０００９】
センサフィーラ１を有するリードセンサ４は、図３に示すように、下流側の読取位置Ｐ２の手前に設けられている。このリードセンサ４は、図４〜図６に示すように、主たる構成部材として、センサフィーラ１の他に回転検知器２１を備えている。なお、リードセンサ４は、図４に示すように、搬送中の原稿（検知対象物）２２の先端２２ａ及び図示しない後端を検知し、各検知信号を画像読取制御部へ順次送信するものである。画像読取制御部は、リードセンサ４から受信した各検知信号に基づいて、原稿２２の先端２２ａが検知されてから所定時間経過後に画像の読み取りを開始しかつ原稿２２の後端が検知されてから所定時間経過後に画像の読み取りを終了するようにＣＩＳ読取ユニット１６を制御する。
【００１０】
センサフィーラ１は、合成樹脂の射出成形品等で構成されており、図４〜図６に示すように、フィーラ軸３１、接触部材３２、及び遮光部材３３を備えている。フィーラ軸３１は、図５に示すように、丸棒状に形成されており、一端部３１ａ及び他端部（先端部）３１ｂがより細く形成されている。なお、このフィーラ軸３１は、一端部３１ａ及び他端部３１ｂをより細く形成しないで全体を同じ直径に形成してもよい。接触部材３２は、図４及び図５に示すように、略三角形状の板状に形成されており、フィーラ軸３１の外周面３１ｃに軸方向に対して直角方向（フィーラ軸３１の径方向）に突設されている。この接触部材３２の端面には、原稿２２の先端２２ａが接触したときに滑って押し易くするための斜面部３２ａが設けられている。また、接触部材３２には、図４に示すように、材料費を節約するために三角形状の貫通孔３２ｂが厚さ方向に貫通するように設けられている。遮光部材３３は、フィーラ軸３１の外周面３１ｃから突出した基部３３ａと、この基部３３ａから接触部材３２と反対方向へ突出した突出部３３ｂとから略Ｌ字状の板状に形成されている。
【００１１】
また、図２〜図４に示すように、ＣＩＳ読取ユニット１６の下方には、その読取面に原稿２２を圧接しながら搬送するプラテンローラ４１が設けられている。このプラテンローラ４１は、合成樹脂等で構成された支持体４２に原稿２２の搬送方向に対して直角方向に延びるように設けた凹部４３内に収容されている。支持体４２の凹部４３よりも上流側の下面４２ｄには、図５及び図６に示すように、原稿２２の搬送方向に対して直角方向に所定間隔を開けて対向する１対の取付板４４が突設されている。これら１対の取付板４４には、それぞれ取付孔４５が形成されている。フィーラ軸３１の一端部３１ａは一方の取付板４４の取付孔４５に挿通され、他端部３１ｂはもう一方の取付板４４の取付孔４５に挿通されている。センサフィーラ１は、接触部材３２の斜面部３２ａ及び遮光部材３３の突出部３３ｂが上流側を向くようにして１対の取付板４４にフィーラ軸３１の軸心回りに回転自在となるように取り付けられている。支持体４２における１対の取付板４４の間には、開口部４６が設けられている。この開口部４６からは、接触部材３２が出没自在となっている。センサフィーラ１は、フィーラ軸３１に外嵌された図示しないバネ部材により接触部材３２の一部が支持体４２から上方に突出するように付勢されている。
【００１２】
図５及び図６に示すように、一方の取付板４４の外側における支持体４２の下面４２ｄには、制止板４７が原稿２２の搬送方向に対して直角方向に突設されていて、フィーラ軸３１の一端部３１ａが外側へ移動しないように制止されている。また、もう一方の取付板４４の内側における支持体４２の下面４２ｄには、１対の制止棒４８が原稿２２の搬送方向にフィーラ軸３１の細く形成されている他端部３１ｂの直径よりも少し大きい間隔を開けて対向するように突設されているので、フィーラ軸３１はこの１対の制止棒４８により外側へ移動しないように制止されている。フィーラ軸３１の他端部３１ｂの取付板４４の取付孔４５への挿通は、図７に示すように、フィーラ軸３１の一端部３１ａを先に一方の取付板４４の取付孔４５に挿通した後、もう一方の取付板４４を外側に撓ませるようにしながら行う。
【００１３】
回転検知器２１は、図５及び図６に示すように、主たる構成部材として、原稿２２の搬送方向に対して直角方向に所定間隔を開けて対向する発光部５１及び受光部５２を備えている。発光部５１は、検知光Ｌを受光部５２に向けて出射するものである。センサフィーラ１は、遮光部材３３の突出部３３ｂが発光部５１と受光部５２の間に位置するように取り付けられている。そのため、発光部５１から出射した検知光Ｌは、突出部３３ｂにより遮光されている。図４に示すように、搬送された原稿２２の先端２２ａがセンサフィーラ１の接触部材３２の斜面部３２ａに当接し、接触部材３２が下方へ回転移動すれば、遮光部材３３が上方へ回転移動する。このようにしてセンサフィーラ１が所定角度回転し、回転検知器２１の発光部５１から出射した検知光Ｌが受光部５２に入射して遮光部材３３の突出部３３ｂによる検知光Ｌの遮光が中断されれば、検知信号が画像読取制御部から本体制御部へ送信され、所定時間経過後にＣＩＳ読取ユニット１６による画像の読み取りが開始される。その後、原稿２２の後端が接触部材３２を通過すれば、前記図外のバネ部材の弾性力により接触部材３２及び遮光部材３３が上記とは逆方向へそれぞれ回転移動する。このようにしてセンサフィーラ１が逆方向へ回転し、遮光部材３３の突出部３３ｂにより検知光Ｌが遮光されれば、検知信号が画像読取制御部から本体制御部へ送信され、所定時間経過後にＣＩＳ読取ユニット１６による画像の読み取りが終了する。
【００１４】
センサフィーラ１のフィーラ軸３１の他端部３１ｂの先端面３１ｅの周縁には、図４、図７、及び図８に示すように、面取り部６１及びバリ６２が形成されている。バリ６２は、フィーラ軸３１の前記先端面３１ｅの周縁からその軸方向に突出してリング状に形成されている。このバリ６２のフィーラ軸３１の前記先端面３１ｅからの突出長さＢは、面取り部６１におけるフィーラ軸３１の軸方向に対して直角方向の面取り寸法Ｍよりも小さくなるように構成されている。そのため、図５及び図６に示すように、フィーラ軸３１の他端部３１ｂを前記もう一方の取付板４４の取付孔４５に挿通する際にバリ６２がつぶれても、フィーラ軸３１の他端部３１ｂと取付孔４５との間にバリ６２を巻き込むことがなく、センサフィーラ１に動作不良が生じるのを回避できるという利点がある。
【００１５】
なお、面取り部６１の断面形状は特に限定されるものではなく、図８のような直線状の他、図９のような円弧状等であってもよい。また、バリ６２の突出方向も、フィーラ軸３１の軸方向の他、フィーラ軸３１の軸方向に対して直角方向や斜め方向等であってもよい。更に、センサフィーラ１を有するセンサとしては、図１及び図２のような自動原稿搬送装置３等により搬送される原稿２２、図１のような画像形成装置２に装備された給紙カセット７１等に収容される図示しない記録用紙等の各種の検知対象物を検知するためのものであればよい。このようなセンサは、下流側の読取位置Ｐ２の手前に設けられたリードセンサ４の他、図３のような上流側の読取位置Ｐ１の手前に設けられたリードセンサ７２、原稿トレイ１１の下流側に設けられた原稿長センサ７３や原稿幅センサ７４、図１のような給紙カセット７１に内蔵された図示しない記録用紙センサ等であってもよい。上流側のリードセンサ７２も、下流側のリードセンサ４と同様、搬送中の原稿２２の先端２２ａ及び後端を検知し、各検知信号を画像読取制御部へ順次送信するものである。画像読取制御部は、上流側のリードセンサ７２から受信した各検知信号に基づいて、原稿２２の先端２２ａが検知されてから所定時間経過後に画像の読み取りを開始しかつ原稿２２の後端が検知されてから所定時間経過後に画像の読み取りを終了するようにＣＣＤ読取ユニット１５を制御する。原稿長センサ７３は、原稿２２の搬送方向の長さを検知するものである。原稿幅センサ７４は、原稿２２の搬送方向に対して直角方向の幅を検知するものである。記録用紙センサは、給紙カセット７１内の記録用紙の有無を検知するものである。
【産業上の利用可能性】
【００１６】
以上のように、本発明に係るセンサフィーラは、フィーラ軸の先端面の周縁に発生したバリがつぶれても、動作不良が生じるのを回避するのに適している。
【図面の簡単な説明】
【００１７】
【図１】画像形成装置の一例の概略斜視図。
【図２】図１の画像形成装置に装備された自動原稿搬送装置の概略断面図。
【図３】図２の自動原稿搬送装置における搬送路の模式図。
【図４】実施形態に係るセンサフィーラの動作説明図。
【図５】図４の左方向から見たセンサフィーラの取付状態説明図。
【図６】図５の下方向から見たセンサフィーラの取付状態説明図。
【図７】図５のセンサフィーラを１対の取付板に取り付ける様子を示す説明図。
【図８】図７のセンサフィーラのフィーラ軸の他端部をもう一方の取付板の取付孔に挿通する様子を示す説明図。
【図９】面取り部の断面形状を円弧状とした例を示す説明図。
【符号の説明】
【００１８】
１  センサフィーラ
３１  フィーラ軸
３１ｃ  外周面
３１ｅ  先端面
３２  接触部材
３３  遮光部材
６１  面取り部
Ｍ  面取り寸法
６２  バリ
Ｂ  突出長さ
【図１】
2006164581.tif 000003
【図２】
2006164581.tif 000004
【図３】
2006164581.tif 000005
【図４】
2006164581.tif 000006
【図５】
2006164581.tif 000007
【図６】
2006164581.tif 000008
【図７】
2006164581.tif 000009
【図８】
2006164581.tif 000010
【図９】
2006164581.tif 000011